(57)【要約】      （修正有）【課題】製品セパレータ原反に背割りを入れても粘着性被覆体を製造することができるようにした粘着性被覆体の製造装置を提供する。【解決手段】帯状の支持体２０１の片面全面に粘着層２０２を積層した被貼付物原反２００が粘着層２０２を外側にして部分的に巻き付く第１のバキュームドラム１０と、被貼付物原反２００の粘着層２０２及び支持体２０１に切り目を入れて個々に直列された状態の被貼付物を形成する第１のダイロール２０と、帯状の製品セパレータ原反３００が部分的に巻き付く第２のバキュームドラム３０と、帯状の製品セパレータ原反３００に長さ方向の背割を入れるための第２のダイロール４０とが備えられ、第１のバキュームドラム１０が被貼付物を落下させない程度の弱い吸引力で吸着しつつ一方向に回転し、第２のバキュームドラム３０が第１のバキュームドラム１０よりもわずかに速い速度で、かつ、反対方向に回転する。【選択図】図２
2011183061.tif 000002
【特許請求の範囲】
【請求項１】
帯状の支持体の片面全面に粘着層を積層した被貼付物原反が粘着層を外側にして部分的に巻き付く第１のバキュームドラムと、該第１のバキュームドラムに部分的に巻き付いている被貼付物原反の粘着層及び支持体に切り目を入れて個々に直列された状態の被貼付物を形成する第１のダイロールと、帯状の製品セパレータ原反が部分的に巻き付く第２のバキュームドラムと、該第２のバキュームドラムに部分的に巻き付いている帯状の製品セパレータ原反に長さ方向の背割を入れるための第２のダイロールとが備えられ、
前記第１のバキュームドラムと第２のバキュームドラムとが前記被貼付物と背割りされた製品セパレータ原反とを挟んで接するように配置され、前記第１のバキュームドラムが被貼付物を落下させない程度の弱い吸引力で吸着しつつ一方向に回転し、前記第２のバキュームドラムが前記第１のバキュームドラムよりもわずかに速い速度で、かつ、第１のバキュームドラムと反対方向に回転し、被貼付物が製品セパレータに一定の間隔を空けて移載するようにされていることを特徴とする粘着性被覆体の製造装置。
【請求項２】
前記第１のバキュームドラムは、被貼付物が製品セパレータ原反に移載する位置で、被貼付物を製品セパレータに押し付けるエアーを吹き出すようにされていることを特徴とする請求項１に記載の粘着性被覆体の製造装置。
【請求項３】
前記貼付物原反が支持体の片面全面に積層された粘着層上にリリースセパレータを積層したものである場合に、リリースセパレータを被貼付剤から剥離するための剥離手段が前記第１のダイロールよりも上流側で被貼付物原反を挟んで第１のバキュームドラムと接するように配置されていることを特徴とする請求項１又は２に記載の粘着性被覆体の製造装置。
【請求項４】
前記被貼付物が移載された製品セパレータ原反を所定の形状に切断する切断手段が配備されていることを特徴とする請求項１ないし３のいずれか１項に記載の粘着性被覆体の製造装置。
【発明の詳細な説明】
【技術分野】
【０００１】
本発明は、被貼付物を製品セパレータに剥離可能に貼付した粘着性被覆体を製造するための粘着性被覆体の製造装置に関し、詳しくは、被貼付物原反や製品セパレータ原反から製造する粘着性被覆体の製造装置に関する。
【背景技術】
【０００２】
粘着性被覆体の一例として、被貼付物を製品セパレータ（剥離体）に剥離可能に貼付した生体用粘着テープが提供されている。被貼付物は、支持体（基材フィルム）の片側全面に薬剤を含んだ粘着層を積層したものとされている。そして、本出願人は、被貼付物の廃棄ロスをなくして生体用粘着テープを製造することができるようにした粘着性被覆体の製造装置についての発明を特許文献１に出願している。
【０００３】
この粘着性被覆体の製造装置は、図４及び図５に示すように、粘着テープ原反１０１、被貼付物原反１０２、製品剥離テープ原反１０３、上包装材原反１０４、下包装材原反１０５から粘着性被覆体を製造し、この粘着性被覆体を包装シートによって包装した最終製品とするまでの機能を含んでいる。そして、粘着テープ原反１０１は、片面全面に粘着面１０１ａを有している。
【０００４】
また、被貼付物原反１０２は、図５に示すように、帯状のセパレータ１０２ａの片面全面にゲル状の粘着層（被貼付剤）１０２ｂが積層され、この粘着層１０２ｂ上に帯状の支持体１０２ｄが積層されている。帯状のセパレータ１０２ａは粘着層１０２ｂから剥離し、帯状の支持体１０２ｄは粘着層１０２ｂから剥離しないようにされている。また、帯状の支持体１０２ｄによって、粘着層１０２ｂが脆かったり、粘りすぎていたりしても、粘着テープ原反１０１をロール状に巻回した状態で保管することができる。
【０００５】
そして、この粘着性被覆体の製造装置は、図４に示すように、上流側から下流側に、粘着テープ原反の供給手段１１０、剥離手段１２０、メインドラム１３０、被貼付物の供給手段１４０、製品剥離テープ原反の供給手段１５０、成形手段１６０、包装手段１７０が配置されている。
【０００６】
被貼付物の供給手段１４０は、ロール状に巻回された被貼付物原反１０２を繰り出し、図５に示すように、間歇的に進行させる移送手段１４１と、この移送手段１４１の下流側で、被貼付物原反１０２の支持体１０２ｄ及び粘着層１０２ｂに切り目１０２ｅを入れることによって個別に直列した状態の被貼付物１０２ｆ，１０２ｆ，…を形成するハーフカット手段１４３と、被貼付物１０２ｆからセパレータ１０２ａを剥離し、かつ、メインドラム１３０上で進行している粘着テープ原反１０１の貼着面に被貼付物１０２ｆを貼付するガイド手段１４４とを備えている。
【０００７】
そして、被貼付物１０２ｆは、ガイド手段１４４によってセパレータ１０２ａから剥離されながらメインドラム１３０上の粘着テープ原反１０１の粘着面１０１ａに貼付される。被貼付物１０２ｆは、移送手段１４１によって間歇的に進行することにより、粘着テープ原反１０１の粘着面１０１ａ上に一定の間隔を空けて次々と貼付される。
【０００８】
そして、製品剥離テープ原反１０３の供給手段１５０によって、この粘着テープ原反１０１の粘着面１０１ａ上の被貼付物１０２ｆ及び粘着テープ原反１０１の粘着面１０１ａ上に製品剥離テープ原反１０３が重ね合わされる。そして、成形手段１６０によって粘着テープ原反１０１及び製品剥離テープ原反１０３が切断されることにより、所定形状の粘着性被覆体が形成される。この粘着性被覆体は、包装手段１７０によって包装体に包装される。
【先行技術文献】
【特許文献】
【０００９】
【特許文献１】特開２００９−２１９５８３号公報
【発明の概要】
【発明が解決しようとする課題】
【００１０】
粘着性被覆体には、図６に示すように、被貼付物２上に硬質プラスチック製の製品セパレータ３上を剥離可能に積層したものがある。被貼付物２は、支持体２ａの片面全面に薬剤を含んだ粘着層２ｂを積層したものとされ、粘着層２ｂと製品セパレータ３とが重ね合わされている。この製品セパレータ３には、剥離しやすいように１本又は図示しないが２本の背割り３ａが波形に入れられている。この背割り３ａは、従来、製品セパレータ原反と支持体原反との間に被貼付物２が挟まれた状態において、刃が製品セパレータ原反にハーフカットすることによって入れられていた。
【００１１】
しかし、粘着性被覆体も薄肉化の要請があり、製品セパレータ原反が１５〜２０μｍ程度に極薄に形成されることがある。このような製品セパレータ原反に刃によって背割りが入れられると、刃が支持体原反にダメージを与えて損傷させてしまい、製品セパレータ原反と支持体原反との間に粘着層を挟んだ状態で、下流側へ搬送して製造することができないことや、製造できたとしても、粘着性被覆体の支持体が損傷した状態とされていることから、使用に際して支持体２ａが裂けるという不良品になることがあった。このことは、特願文献１に記載された粘着性被覆体の製造装置によっても解決することができない。
【００１２】
そこで、本発明は、製品セパレータ原反に背割りを入れても粘着性被覆体を製造することができるようにした粘着性被覆体の製造装置を提供することを課題とする。
【課題を解決するための手段】
【００１３】
本発明に係る粘着性被覆体の製造装置は、帯状の支持体の片面全面に粘着層を積層した被貼付物原反が粘着層を外側にして部分的に巻き付く第１のバキュームドラムと、該第１のバキュームドラムに部分的に巻き付いている被貼付物原反の粘着層及び支持体に切り目を入れて個々に直列された状態の被貼付物を形成する第１のダイロールと、帯状の製品セパレータ原反が部分的に巻き付く第２のバキュームドラムと、該第２のバキュームドラムに部分的に巻き付いている帯状の製品セパレータ原反に長さ方向の背割を入れるための第２のダイロールとが備えられ、前記第１のバキュームドラムと第２のバキュームドラムとが前記被貼付物と背割りされた製品セパレータ原反とを挟んで接するように配置され、前記第１のバキュームドラムが被貼付物を落下させない程度の弱い吸引力で吸着しつつ一方向に回転し、前記第２のバキュームドラムが前記第１のバキュームドラムよりもわずかに速い速度で、かつ、第１のバキュームドラムと反対方向に回転し、被貼付物が製品セパレータに一定の間隔を空けて移載するようにされていることを特徴としている。
【００１４】
この粘着性被覆体の製造装置によれば、第１のダイロールによって被貼付物原反から個々に直列され、しかもダメージを受けていない状態の被貼付物が形成され、この被貼付物が第１のバキュームドラムに吸着されながら進行し、一方、製品セパレータ原反が第２のダイロールによって背割りを入れたものとされて進行し、第１のバキュームドラムと第２のバキュームドラムとが接している位置で、被貼付物が背割りされた製品セパレータ原反に移載される。
【００１５】
被貼付物は、粘着層が外向きとされ、しかも、落下しない程度の弱い吸引力で第１のバキュームドラムに吸着されているため、第１のバキュームドラムと第２のバキュームドラムとが接している位置において、背割りされた製品セパレータ原反に接触すると、粘着層の粘着力によって背割りされた製品セパレータ原反に移載する。
【００１６】
一方、製品セパレータ原反は、第２のバキュームドラムに吸着されるため、背割りが入れられていても第２のバキュームドラムに部分的に巻き付いて進行する。そして、第２のバキュームドラムが第１のバキュームドラムよりもわずかに速く回転することにより、被貼付物は、製品セパレータ原反に引っ張られるように移載されるため、一定の間隔が空けられて製品セパレータ原反に貼付される。
【００１７】
また、前記本発明に係る粘着性被覆体の製造装置において、前記第１のバキュームドラムは、被貼付物が製品セパレータ原反に移載する位置で、被貼付物を製品セパレータに押し付けるエアーを吹き出すようにされていることが好ましい。
【００１８】
この粘着性被覆体の製造装置によれば、第１のバキュームドラムに吸着されている被貼付物が製品セパレータ原反に移載する位置でエアーによって製品セパレータ原反に押し付けるため、被貼付物が第１のバキュームドラムに付着したまま進行することなく、確実に製品セパレータ原反に移載することができる。
【００１９】
また、前記本発明に係る粘着性被覆体の製造装置において、前記貼付物原反が支持体の片面全面に積層された粘着層上にリリースセパレータを積層したものである場合に、リリースセパレータを被貼付剤から剥離するための剥離手段が前記第１のダイロールよりも上流側で被貼付物原反を挟んで第１のバキュームドラムと接するように配置されていることが好ましい。
【００２０】
この粘着性被覆体の製造装置によれば、貼付物原反がリリースセパレータを積層したものである場合に、剥離手段がリリースセパレータを粘着層から剥離し、粘着層を露出させることができる。なお、リリースセパレータを積層した貼付物原反は、粘着層が脆かったり粘りすぎたりしていても、ロール状に保管し、ロールから繰り出すことができるものとされている。
【００２１】
また、前記本発明に係る粘着性被覆体の製造装置において、前記被貼付物が移載された製品セパレータ原反を所定の形状に切断する切断手段が配備されていることが好ましい。
【００２２】
この粘着性被覆体の製造装置によれば、切断手段が製品セパレータ原反を切断することによって、最終製品を製造することができる。
【発明の効果】
【００２３】
本発明によれば、背割りした製品セパレータ原反に被貼付物を移載する粘着性被覆体の製造装置が提供されることにより、支持体が損傷していない粘着性被覆体を製造することが可能となる。
【図面の簡単な説明】
【００２４】
【図１】本発明に係る粘着性被覆体の製造装置の一実施形態を示す概略正面図である。
【図２】本発明に係る粘着性被覆体の製造装置の一実施形態の要部を示す概略正面図である。
【図３】本発明に係る粘着性被覆体の製造装置の一実施形態の要部を拡大した部分を示す概略平面図である。
【図４】従来の粘着性被覆体の製造装置の一例を示す概略正面図である。
【図５】従来の粘着性被覆体の製造装置の要部を示す概略正面図である。
【図６】粘着性被覆体の概略斜視図及び一部拡大断面図である。
【発明を実施するための形態】
【００２５】
本発明に係る粘着性被覆体の製造装置の一実施形態について図１乃至図３を参照しながら説明する。この粘着性被覆体の製造装置は、被貼付物原反２００と製品セパレータ原反３００とから図６に示すような粘着性被覆体を製造するもので、第１のバキュームドラム１０、第１のダイロール２０、第２のバキュームドラム３０、第２のダイロール４０を備えている。
【００２６】
被貼付物原反２００は、図２の一部拡大断面図に示すように、帯状の支持体２０１の片面全面に粘着層２０２を積層し、この粘着層２０２上にリリースセパレータ２０３を積層した３層構造とされ、ロールから繰り出される。また、製品セパレータ原反３００は、可撓性を有する硬質プラスチックで形成され、ロールから繰り出される。
【００２７】
そして、第１のバキュームドラム１０と第１のダイロール２０とは、被貼付物原反２００（正確には、リリースセパレータ２０３を剥離した支持体２０１及び粘着層２０２）を挟んで接するように配置されている。
【００２８】
また、第２のバキュームドラム３０と第２のダイロール４０とは製品セパレータ原反３００を挟んで接するように配置されている。また、第１のバキュームドラム１０と第２のバキュームドラム３０とは、被貼付物原反２００（正確には後記する被貼付物２０４）と製品セパレータ原反３００を挟んで接するように配置されている。
【００２９】
そして、第１のバキュームドラム１０は、被貼付物原反２００が部分的に（図面では時計の文字盤で１０時の位置から３時の位置まで）巻き付いて、一方向（図面では反時計方向）に回転する。被貼付物原反２００は、支持体２０１が第１のバキュームドラム１０の側面に重なり、リリースセパレータ２０３が外側に向くように第１のバキュームドラム１０に部分的に巻き付く。
【００３０】
また、第１のバキュームドラム１０には、側面に多数の通気孔（図示せず）が形成され、両端面に真空引きする吸気手段（図示せず）に接続されたフード１１が固定され、内部に前記通気孔とフード１１とを連通する多数の連通孔１２，１２，…が設けられている。ただし、フード１１は、第１のバキュームドラム１０の側面と重なっている被貼付物原反２００の一部（図面では時計の文字盤で１０時の位置から４時の位置）のみ吸着するように正面視「上向き（」字形に設けられている。
【００３１】
したがって、この第１のバキュームドラム１０は、回転していても、固定されているフード１１と連通している連通孔（図面では時計の文字盤で１０時の位置から４時の位置までの連通孔）１２，１２，…のみが吸気され、この部分で重なっている被貼付物原反２００が通気孔から吸着される。ただし、この通気孔からの吸引力は、後記する被貼付物２０４が第１のバキュームドラム１０から落下しない弱い程度とされる。
【００３２】
また、第１のバキュームドラム１０は、第２のバキュームドラム３０と接する位置（図面では時計の文字盤で３時の位置）（以下、「移載位置」という。）Ｐにおいて、通気孔からエアーを吹き出すようにされている。そのため、第１のバキュームドラム１０には、移載位置Ｐで連通孔にエアーを吹き込む給気手段（図示せず）が両側面に設けられている。
【００３３】
そして、被貼付物原反２００のリリースセパレータ２０３を粘着層２０２から剥離するための剥離手段５０が第１のダイロール２０の上流側、例えば、第１のバキュームドラム１０に巻き付き始めた位置（図面では時計の文字盤で９時の位置）で被貼付物原反２００を挟んで接するように配置されている。この剥離手段５０は、ナイフエッジで構成され、リリースセパレータ２０３が被貼付物原反２００の進行方向と反対方向に引き戻されることによって、粘着層２０２から剥離するようにされている。
【００３４】
そして、第１のダイロール２０は、リリースセパレータ２０３を剥離して第１のバキュームドラム１０の側面に重なっている被貼付物原反２００、すなわち、粘着層２０２と支持体２０１とに切り目を入れて個々に直列された状態の被貼付物２０４を形成するもので周囲に梯子形の刃（図示せず）が突設されている。なお、被貼付物２０４の両側は、スクラップ２０５として廃棄される。
【００３５】
そして、第１のダイロール２０は、位置調整手段２１に取り付けられ、刃が粘着層２０２と支持体２０１とに切り目を入れる状態を微調整することができるようにされている。
【００３６】
そして、第２のダイロール４０は、第２のバキュームドラム３０とによって挟んだ状態の製品セパレータ原反３００に長さ方向の背割り３０１を入れるためのもので、外周面の全周に亘って刃（図示せず）が突設されている。２本の背割り３０１を入れる場合は、刃も当然、２本突設され、波形の背割り３０１を入れる場合は、刃も当然、波形に突設される。
【００３７】
いずれにしても、第２のダイロール４０の刃が、第２のバキュームドラム３０の外周面に当接しながら第２のバキュームドラム３０と反対方向に回転することにより、製品セパレータ原反３００を完全が切断され、背割り３０１が入れられる。
【００３８】
そして、第２のダイロール４０も、位置調整手段４１に取り付けられ、刃が製品セパレータに背割り３０１を入れる状態を微調整することができるようにされている。
【００３９】
そして、第２のバキュームドラム３０は、製品セパレータ原反３００が部分的に（図面では時計の文字盤で４時から１２時の位置まで）巻き付いて、第１のバキュームドラム１０と反対方向（図面では時計方向）に、かつ、第１のバキュームドラム１０よりもわずかに速く回転する。
【００４０】
また、第２のダイロール４０によって背割り３０１を入れられた製品セパレータ原反３００が第２のバキュームドラム３０に巻き付いた状態を維持しつつ進行するように、第２のバキュームドラム３０には、背割り３０１を入れられた製品セパレータを吸着するようにされている。
【００４１】
そのため、第２のバキュームドラム３０も、第１のバキュームドラム１０と同様、側面に多数の通気孔（図示せず）が形成され、両端面に真空引きする吸気手段（図示せず）に接続されたフード３１が固定され、内部に前記通気孔とフード３１とを連通する多数の連通孔３２，３２，…が設けられている。ただし、フード３１は、第２のバキュームドラム３０の側面と重なっている製品セパレータ原反３００の一部（図面では時計の文字盤で６時の位置から１２時の位置まで）のみ吸着するように正面視「（」字形に設けられている。
【００４２】
したがって、この第２のバキュームドラム３０は、回転していても、固定されているフード３１と連通している連通孔（図面では時計の文字盤で６時の位置から１２時の位置までの連通孔）３２，３２，…のみが吸気され、この部分で重なっている製品セパレータ原反３００が通気孔から吸着される。
【００４３】
そして、第２のバキュームドラム３０よりも下流側には、図１に示すように、製品セパレータ原反３００を所定の形状に切断するための切断手段６０が配置されている。
【００４４】
本実施形態における粘着性被覆体の製造装置は、以上のように構成され、次に動作について説明する。
【００４５】
被貼付物原反２００がロールから繰り出され、第１のバキュームドラム１０に部分的に巻き付く。被貼付物原反２００は、剥離手段５０によってリリースセパレータ２０３が粘着層２０２から剥離し、支持体２０１が第１のバキュームドラム１０に重なり、粘着層２０２が外向きに露出した状態で第１のバキュームドラム１０の回転に追従して進行する。
【００４６】
そして、第１のダイロール２０が粘着層２０２及び支持体２０１に切り目を入れることにより、個々に直列された状態の被貼付物２０４を形成する。この被貼付物２０４には、背割りが入れられる部位において、製品セパレータ原反３００に背割り３０１を入れるための刃が当てられていないことから、ダメージが与えられていない。そして、この被粘着物２０４は、第１のバキュームドラム１０に吸着されるため、落下することなく進行する。なお、被貼付物２０４の両側の粘着層２０２及び支持体２０１はスクラップ２０５となって、廃棄ロールに巻回される。
【００４７】
他方、製品セパレータ原反３００がロールから繰り出され、第２のダイロール４０によって背割り３０１を入れた状態とされる。この背割り３０１を入れた製品セパレータ原反３００は、第２のバキュームドラム３０に吸着され、第２のバキュームドラム３０の回転に追従して進行する。
【００４８】
そして、第１のバキュームドラム１０と第２のバキュームドラム３０とが接している移載位置Ｐにおいて、被貼付物２０４が第１のバキュームドラム１０から背割り３０１された製品セパレータ原反３００に移載する。この移載位置Ｐにおいて、第１のバキュームドラム１０では、通気孔からエアーが吹き出されているため、被貼付物２０４が製品セパレータ原反３００に押し付けられる。また、被貼付物２０４は、粘着性を有している粘着層２０２が外向きとされ、製品セパレータ原反３００に押し付けられるため、被貼付物２０４は確実に製品セパレータ原反３００に移載し、貼付された状態となる。
【００４９】
そして、第２のバキュームドラム３０が第１のバキュームドラム１０よりもわずかに速く回転していることから、被貼付物２０４が製品セパレータ原反３００に引っ張られる状態となって製品セパレータ原反３００に移載する。したがって、第１のバキュームドラム１０上で隣り合っている被貼付物２０４は、図３に示すように、間隔を空けた状態で製品セパレータ原反３００に貼付される。
【００５０】
そして、ダメージが与えられていない被貼付物２０４を貼付した製品セパレータは、第２のバキュームドラム３０から離れて下流側へ搬送される。そして、切断手段６０が被貼付物２０４と被貼付物２０４との間で製品セパレータ原反３００を幅方向に切断し、あるいは、被貼付物２０４を囲むように製品セパレータ原反３００を切断することにより、粘着性被覆体が完成する。この粘着性被覆体は、さらに下流へ搬送され、包装手段（図示せず）によって包装材に包装されることで、最終製品が完成する。
【００５１】
なお、本発明は、前記実施の形態に限定することなく種々変更することができる。例えば、被貼付物原反２００がリリースセパレータ２０３を積層していないものを使用する場合は、剥離手段５０は当然、備えなくてもよい。
【００５２】
また、第２のバキュームドラム３０が第１のバキュームドラム１０よりもわずかに速く回転するようにするため、同じ速度で回転するモータを使用し、第２のバキュームドラム３０の外径を第１のバキュームドラム１０の外径よりも大きなものを使用してもよいし、第１のバキュームドラム１０と第２のバキュームドラム３０とを同じ外径とし、第２のバキュームドラム３０を回転させるモータを第１のバキュームドラム１０を回転させるモータよりも速く回転させてもよい。
【００５３】
また、第１のバキュームドラム１０は、吹付け口が設けられていることが好ましいが、必ずしも設けられていなくてもよい。
【００５４】
また、本発明に係る装置は、医療用の粘着性被覆体を好適に製造することができるが、ステッカーなど日用品、工業用品の粘着性被覆体を製造することもできる。
【符号の説明】
【００５５】
１０……第１のバキュームドラム
２０……第１のダイロール
３０……第２のバキュームドラム
４０……第２のダイロール
６０……切断手段
２００…被貼付物原反
２０１…支持体
２０２…粘着層
２０３…リリースセパレータ
２０４…被貼付物
３００…製品セパレータ原反
Ｐ………被貼付物が製品セパレータ原反に移載する位置
【図１】
2011183061.tif 000003
【図２】
2011183061.tif 000004
【図３】
2011183061.tif 000005
【図４】
2011183061.tif 000006
【図５】
2011183061.tif 000007
【図６】
2011183061.tif 000008